(57)【要約】【課題】扉体の組立構造における、部材同士の位置決め、及び、コーナー部に生じる隙間に起因する問題を同時に解決することを目的とする。【解決手段】第１部材１、第２部材２の側面部１３，２３，１５，２５の上下端部の余端部（延出部１３０´、１３１´、１５０´、１５１´）を折曲することで、扉体の上面部１１，２１、下面部１２，２２の左右端部の一部を形成する。第１面部１と第２面部２とを対向させて、当接部１４，２４，１６，２６同士を当接させ、第１上面部と第２上面部の端縁同士、第１下面部と第２下面部の端縁同士を突き合せた状態で、突片３が凹部４に嵌り合うと共に、突片３は、当接部１４，２４，１６，２６の上下端縁に外側から当接する。【選択図】図２
2010031492.tif 000002
【特許請求の範囲】
【請求項１】
扉体の第１面を形成する第１面部と、当該第１面部の周縁に折曲形成された第１上面部、第１下面部、左右の側面部と、左右の側面部の先端から当該第１面部に平行状に延出する左右の当接部と、を備えた第１部材と、
扉体の第２面を形成する第２面部と、当該第２面部の周縁に折曲形成された第２上面部、第２下面部、左右の側面部と、左右の側面部の先端から当該第２面部に平行状に延出する左右の当接部と、を備えた第２部材と、
からなり、
前記第１上面部と前記第２上面部の左右の端部は、それぞれ、前記左右の側面部の上端側の余端部を折曲することで形成され、前記第１下面部と前記第２下面部の左右の端部は、それぞれ、前記左右の側面部の下端側の余端部を折曲することで形成されており、
前記第１部材と前記第２部材とは、前記第１面部と前記第２面部とを対向させて、前記当接部同士を当接させ、前記第１上面部と前記第２上面部の端縁同士、前記第１下面部と前記第２下面部の端縁同士を突き合せるようにして組み立てられ、
前記第１上面部と前記第２上面部、前記第１下面部と前記第２下面部は、前記端縁同士を突き合わせる時に、扉体の幅方向両端部に夫々位置して互いに対向する部位を有しており、前記端縁同士を突き合わせた時の扉体の幅方向両端部のいずれか一方の端部あるいは両方の端部において、互いに対向する部位のいずれか一方の部位には扉体の見込方向に延出する突片が形成され、他方の部位には前記突片を受け入れる凹部が形成されており、
前記端縁同士を突き合わせた時に、前記突片が前記凹部に嵌り合うと共に、前記突片は、前記当接部の上下端縁に外側から当接するように構成されている、
扉体の組立構造。
【請求項２】
前記第１部材、前記第２部材は、それぞれ、略長方形状の金属板材を折曲形成することで形成されており、
前記金属板材の周縁には、上側折曲片、下側折曲片、第１左側折曲片、第１右側折曲片、が形成されており、さらに、第１左側折曲片の先端側には第２左側折曲片が、第１右側折曲片の先端側には第２右側折曲片が、それぞれ形成されており、
前記第１上面部、前記第２上面部は、上側折曲片を当該金属板材に対して垂直状に折曲してなる部分を主要部としており、
前記第１下面部、前記第２下面部は、下側折曲片を当該金属板材に対して垂直状に折曲してなる部分を主要部としており、
前記左右の側面部は、左右の第１折曲片を当該金属板材に対して垂直状に折曲することで形成されており、
前記左右の当接部は、左右の第２折曲片を第１折曲片に対して垂直状に折曲することで形成されており、
左右の第１折曲片の上下端部には、前記余端部としての延出片が形成されており、当該延出片を第１折曲片に対して垂直状に折曲することで、折曲された延出片によって第１上面部、第２上面部、および、第１下面部、第２下面部の左右方向端部の一部が形成されており、
前記凹部は、折曲された上側折曲片、下側折曲片からなる前記主要部の左右方向の端縁と、折曲された第１折曲片の上下端部の延出片の端縁とで形成され、
前記突片は、
前記側面部の上端ないし下端に折曲形成された延出片の部分、又は、
前記主要部に一体形成された突片、又は、
前記当接部の上端ないし下端に折曲形成された延出片、から構成される、
請求項１に記載の扉体の組立構造。
【発明の詳細な説明】
【技術分野】
【０００１】
本発明は、扉体の組立構造に関するものである。
【背景技術】
【０００２】
一般に、扉体は、扉体の第１面を形成する第１面部と、当該第１面部の周縁に折曲形成された第１上面部、第１下面部、左右の側面部と、左右の側面部の先端から当該第１面部に平行状に延出する左右の当接部と、を備えた第１部材と、扉体の第２面を形成する第２面部と、当該第２面部の周縁に折曲形成された第２上面部、第２下面部、左右の側面部と、左右の側面部の先端から当該第２面部に平行状に延出する左右の当接部と、を備えた第２部材と、から組み立てられている。
【０００３】
従来は、第１部材と第２部材との位置決めは、当該部材間に設けられる断面視コ字形の補強骨材を介して行なっていた。また、従来の組立構造では、扉体のコーナー部に隙間が生じるため、コーナー部の隙間塞ぎ処理として、溶接、サンダー処理、パテ処理が必要となっていた。特許文献１には、ノーエッジ扉の組立構造が記載されているが、コーナー部の溶接に起因する課題については言及されていない。特許文献２は、コーナー部の溶接に起因する課題に対応するものであるが、部材同士の位置決めについては言及されていない。
【特許文献１】実公昭６１−７３５７号
【特許文献２】実開昭５７−２９７９５号
【発明の開示】
【発明が解決しようとする課題】
【０００４】
本発明は、扉体の組立構造における、部材同士の位置決め、及び、コーナー部に生じる隙間に起因する問題を同時に解決することを目的とする。
【課題を解決するための手段】
【０００５】
本発明が採用した扉体の組立構造は、
扉体の第１面を形成する第１面部と、当該第１面部の周縁に折曲形成された第１上面部、第１下面部、左右の側面部と、左右の側面部の先端から当該第１面部に平行状に延出する左右の当接部と、を備えた第１部材と、
扉体の第２面を形成する第２面部と、当該第２面部の周縁に折曲形成された第２上面部、第２下面部、左右の側面部と、左右の側面部の先端から当該第２面部に平行状に延出する左右の当接部と、を備えた第２部材と、
からなり、
前記第１上面部と前記第２上面部の左右の端部は、それぞれ、前記左右の側面部の上端側の余端部を折曲することで形成され、前記第１下面部と前記第２下面部の左右の端部は、それぞれ、前記左右の側面部の下端側の余端部を折曲することで形成されており、
前記第１部材と前記第２部材とは、前記第１面部と前記第２面部とを対向させて、前記当接部同士を当接させ、前記第１上面部と前記第２上面部の端縁同士、前記第１下面部と前記第２下面部の端縁同士を突き合せるようにして組み立てられ、
前記第１上面部と前記第２上面部、前記第１下面部と前記第２下面部は、前記端縁同士を突き合わせる時に、扉体の幅方向両端部に夫々位置して互いに対向する部位を有しており、前記端縁同士を突き合わせた時の扉体の幅方向両端部のいずれか一方の端部あるいは両方の端部において、互いに対向する部位のいずれか一方の部位には扉体の見込方向に延出する突片が形成され、他方の部位には前記突片を受け入れる凹部が形成されており、
前記端縁同士を突き合わせた時に、前記突片が前記凹部に嵌り合うと共に、前記突片は、前記当接部の上下端縁に外側から当接するように構成されている。
好ましい態様では、扉体の上下の幅方向両端部（すなわち、扉体の四隅に近接した部位）において、一方の突片が他方の凹部に嵌り合うようにする。後述する実施形態では、第１上面部の一方の端部に突片、他方の端部に凹部を形成し、第２上面部の一方の端部に凹部、他方の端部に突片を形成し、第１下面部の一方の端部に凹部、他方の端部に突片を形成し、第２下面部の一方の端部に突片、他方の端部に凹部を形成しており、１つの上面部ないし下面部の一端側に突片、他端側に凹部を形成している。本発明における突片、凹部を形成する態様はこれには限定されず、１つの上面部ないし下面部の両端を突片、あるいは、凹部から形成してもよい。要するに、扉体の各隅部に近接した部位において、いずれか一方に突片、他方に当該突片が嵌る凹部が形成されていればよい。
【０００６】
１つの態様では、
前記第１部材、前記第２部材は、それぞれ、略長方形状の金属板材を折曲形成することで形成されており、
前記金属板材の周縁には、上側折曲片、下側折曲片、第１左側折曲片、第１右側折曲片、が形成されており、さらに、第１左側折曲片の先端側には第２左側折曲片が、第１右側折曲片の先端側には第２右側折曲片が、それぞれ形成されており、
前記第１上面部、前記第２上面部は、上側折曲片を当該金属板材に対して垂直状に折曲してなる部分を主要部としており、
前記第１下面部、前記第２下面部は、下側折曲片を当該金属板材に対して垂直状に折曲してなる部分を主要部としており、
前記左右の側面部は、左右の第１折曲片を当該金属板材に対して垂直状に折曲することで形成されており、
前記左右の当接部は、左右の第２折曲片を第１折曲片に対して垂直状に折曲することで形成されており、
左右の第１折曲片の上下端部には、前記余端部としての延出片が形成されており、当該延出片を第１折曲片に対して垂直状に折曲することで、折曲された延出片によって第１上面部、第２上面部、および、第１下面部、第２下面部の左右方向端部の一部が形成されており、
前記凹部は、折曲された上側折曲片、下側折曲片からなる前記主要部の左右方向の端縁と、折曲された第１折曲片の上下端部の延出片の端縁とで形成され、
前記突片は、
前記側面部の上端ないし下端に折曲形成された延出片の部分、又は、
前記主要部に一体形成された突片、又は、
前記当接部の上端ないし下端に折曲形成された延出片、から構成される。
【発明の効果】
【０００７】
本発明では、第１部材、第２部材の側面部の上下の余端部を折曲することで、折曲された余端部が、上面部、下面部の左右の端部の一部を形成するようにしたので、扉体のコーナー部には、側面部の折り曲げ部が位置するため、コーナー部に隙間が生じることがなく、従来のようにコーナー部の隙間を塞ぐ作業が不要となる。
【０００８】
本発明では、第１部材、第２部材の一方の突片が、他方の凹部に嵌り合うことで、第１部材と第２部材の左右方向の位置決めを行なうことができ、さらに、上下の突片が、当接部の上下端縁に外側（上側及び下側）から当接するので、第１部材と第２部材の高さ方向の位置決めを行なうことができる。
【０００９】
前記凹部および／あるいは前記突片の少なくとも一部は、前記折曲された余端部から構成することができ、より少ない構成要素で、部材同士の位置決め、及び、コーナー部に生じる隙間に起因する問題を同時に解決することができる。
【発明を実施するための最良の形態】
【００１０】
本発明の好ましい実施形態について、図面に基づいて説明する。図１に示すように、扉体は、金属板材から形成された第１部材１及び第２部材２を組み立てることで形成される。第１部材１は、扉体の第１面を形成する第１面部１０と、第１面部１０の周縁に、第１面部１０に対して垂直状に折曲形成された第１上面部１１、第１下面部１２、左右の側面部１３、１５、左右の側面部１３、１５の先端から第１面部１０に平行状に延出する左右の当接部１４、１６と、を備えている。第２部材２は、扉体の第２面を形成する第２面部２０と、第２面部２０の周縁に、第２面部２０に対して垂直状に折曲形成された第２上面部２１、第２下面部２２、左右の側面部２３、２５、左右の側面部２３、２５の先端から第２面部２０に平行状に延出する左右の当接部２４、２６と、を備えている。
【００１１】
第１部材１、第２部材２は、第１面部１０と第２面部２０とを対向させて、左側の当接部１４、２４、右側の当接部１６、２６をそれぞれ当接させ、第１上面部１１と第２上面部２１の端縁同士、第１下面部１２と第２下面部２２の端縁同士を突き合せた状態で、左側の側面部１３、２３の突合せ部、右側の側面部１５、２５の突合せ部を溶接することで組み立てられる。
【００１２】
第１面部１０、第２面部２０は、扉体の見付面を形成し、第１上面部１１と第２上面部２１は、扉体の上端面を形成し、第１下面部１２と第２下面部２２は、扉体の下端面を形成し、左右の側面部１３、２３、１５、２５は、扉体の側面（見込面）を形成する。図示の例では、第１部材１と第２部材２との間には、断面視コ字形の補強骨材を設けていないが、補強骨材を設けてもよい。
【００１３】
第１部材１、第２部材２は、略長方形状の金属板材の四周縁を折曲することで形成される。図３は、第１部材１を形成するための金属板材の展開図である。図示の態様では、第１部材１と第２部材２とは同一の形状を備えており、第１部材と第２部材を向かい合わせて組み合わせることで扉体を形成するようになっている。したがって、第２部材２を形成するための金属板材の展開図も実質的に図３に示すものと同一である。図３に示すように、略長方形状の金属板材の四周状の周縁には、上側折曲片１１０´、下側折曲片１２０´、第１左側折曲片１３´、第１右側折曲片１５´、が形成されており、さらに、第１左側折曲片１３´の先端側には第２左側折曲片１４´、第１右側折曲片１５´の先端側には第２右側折曲片１６´が形成される。
【００１４】
図中には、これらの折曲片を折曲するための折曲線が二点鎖線で示してあり、折曲線Ｌ１、折曲線Ｌ２、折曲線Ｌ３、折曲線Ｌ５で囲まれる部位が、第１面部１０に対応している。図３に示す略長方形状の金属板材は、長方形の金属板材の四隅を所定形状に切り欠くことで形成することができる。
【００１５】
上側折曲片１１０´、下側折曲片１２０´は、左右方向端部が所定形状に切り欠かれており、上側折曲片１１０´を、折曲線Ｌ１に沿って当該金属板材（第１面部１０）に対して垂直状に折曲することで、第１上面部１１の主要部１１０が形成され、下側折曲片１２０´を、折曲線Ｌ２に沿って当該金属板（第１面部１０）に対して垂直状に折曲することで、第１下面部１２の主要部１２０が形成される。本明細書において、「主要部」とは、折曲された折曲片が、上面部、下面部の領域の大部分を占めるという意味で用いている。
【００１６】
図３、図４下図に示すように、上側折曲片１１０´の左側の端縁１１０Ｂは、傾斜状に形成されている。また、端部１１０Ｂと延出片１３０´の傾斜状の縁１３０Ｂとは展開した状態で９０度の角度を形成しており、上側折曲片１１０´、延出片１３０´を折曲した時に、端部１１０Ｂと縁１３０Ｂとが近接対向するようになっている（図５参照）。下側折曲片１２０´の右側の端縁の形状は、上側折曲片１１０´の左側の端縁１１０Ｂの形状と同じであり、さらに、第２部材２を形成する上側折曲片の右側の端縁の形状、下側折曲片の左側の端縁の形状と同じである。
【００１７】
上側折曲片１１０´の右側の端縁の形状は、下側折曲片１２０´の左側の端縁の形状と同じであり、さらに、第２部材２を形成する上側折曲片の左側の端縁の形状、下側折曲片の右側の端縁の形状と同じである。これらの端縁の形状については、後述する主要部２１０の端縁の説明を援用することができる。
【００１８】
左右の第１折曲片１３´、１５´を、それぞれ折曲線Ｌ３、Ｌ５に沿って当該金属板（第１面部１０）に対して垂直状に折曲することで、左右の側面部１３、１５が形成され、左右の第２折曲片１４´、１６´を、それぞれ折曲線Ｌ４、Ｌ６に沿って第１折曲片に対して垂直状に折曲することで、第１面部１０に対して平行状に延出する左右の当接部１４、１６が形成される。
【００１９】
左側の第１折曲片１３´の上下端部には、折曲線Ｌ１の延長線Ｌ１´、折曲線Ｌ２の延長線Ｌ２´を、それぞれ越えて延出する延出片１３０´、１３１´が形成されており、延出片１３０´、１３１´を、延長線Ｌ１´、Ｌ２´に沿って、第１折曲片１３´に対して垂直状に折曲することで、折曲された延出片（延出片１３０のみ図２、図４、図５に図示する）によって、第１上面部１１、第１下面部１２の左右方向の一端側の一部が形成される。
【００２０】
同様に、右側の第１折曲片１５´の上下端部には、折曲線Ｌ１の延長線Ｌ１´、折曲線Ｌ２の延長線Ｌ２´を、それぞれ越えて延出する延出片１５０´、１５１´が形成されており、延出片１５０´、１５１´を、延長線Ｌ１´、Ｌ２´に沿って、第１折曲片１５´に対して垂直状に折曲することで、折曲された延出片（図示せず）によって、第１上面部１１、第１下面部１２の左右方向の他端側の一部が形成される。
【００２１】
図示の例では、延出片１３０´と延出片１５１´、延出片１３１´と延出片１５０´とは、それぞれ、同一形状となっている。また、折曲部位である延長線Ｌ１´、Ｌ２´が扉体のコーナー部に位置するので、コーナー部に隙間が生じることがなく、従来のようにコーナー部を溶接する必要がない。
【００２２】
第２部材２を形成するための金属板材は図示しないが、第２部材２用の金属板材の形状は第１部材１用の金属板材の形状と同一であり、上述の第１部材１を形成するための金属板材の説明を援用することができる。第２部材２の構成要素が図示される場合には、対応する第１部材１の構成要素の参照番号の「１」を「２」に置き換えた参照番号で表してある。また、扉体の四隅の上側の一方の隅部のみを図２、図４、図５に図示するが、他の隅部の構成も、上下や左右の空間的な配置が異なるのみで、実質的に同じ構成を備えている。
【００２３】
図２、図４、図５に示すように、第２上面部２１は、折曲された上側折曲片からなる主要部２１０と、折曲された延出片２３０と、から構成されており、かつ、主要部２１０の端縁と折曲された延出片２３０の端縁との間に凹部４が形成されている。すなわち、第２部材２を形成するための長方形の金属板材の四隅は、折曲後に、このような凹部４が形成されるような形状に予め切り欠かれている。
【００２４】
より具体的に説明すると、上側折曲片を折曲することで形成された主要部２１０の先端は扉体の幅方向に延出する端縁２１０Ａとなっており、主要部２１０の左右の端部は、基端から先端（端縁２１０Ａ）に向かって４５度に傾斜状に切り欠かれており、さらに、傾斜縁の先端側を段部状に切り欠くことで、傾斜状に延出する第１縁２１０Ｂ、扉体の幅方向に延出する第２縁２１０Ｃ、扉体の見込方向に延出する第３縁２１０Ｄが形成されている。
【００２５】
折曲された延出片２３０は、扉体の幅方向に延出する第１縁２３０Ａと、傾斜状に延出する第２縁２３０Ｂと、扉体の見込方向に延出する第３縁２３０Ｃと、を有している。主要部２１０の傾斜状の第１縁２１０Ｂと、延出片２３０の傾斜状の第２縁２３０Ｂとは同じ長さを有していると共に、互いに近接しており、主要部２１０の第２縁２１０Ｃ、第３縁２１０Ｄ、延出片２３０の第３縁２３０Ｃとから凹部４が形成されている。
【００２６】
図２、図４、図５に示すように、第１上面部１１は、折曲された上側折曲片１１０´からなる主要部１１０と、折曲された延出片１３０と、から構成されており、かつ、延出片１３０の先端側には、扉体の見込方向に延出する突片３が一体形成されている。主要部１１０の先端は扉体の幅方向に延出する端縁１１０Ａとなっており、主要部１１０の端縁１１０Ａと主要部２１０の端縁２１０Ａとを当接させた状態において、突片３は、第２部材２の第２上面部２１に形成された凹部４（主要部２１０の第２縁２１０Ｃ、第３縁２１０Ｄ、延出片２３０の第３縁２３０Ｃとから形成されている）に嵌り合っている。突片３は、主要部１１０、主要部２１０、延出片２３０と面一となるように、凹部４に位置している。
【００２７】
図５に示すように、突片３は、凹部４の幅寸法より僅かに小さい幅寸法を備えており、その側縁３０、３１は、凹部４を形成する主要部２１０の第３縁２１０Ｄ、延出片２３０の第３縁２３０Ｃに近接対向している。したがって、突片３が凹部４に嵌り込むことで、第１部材１と第２部材２の左右方向（扉体の幅方向）の位置決めが行なわれ、かつ、左右方向のズレが規制される。
【００２８】
さらに、突片３は、当接部１４、２４の上端縁１４Ａ、２４Ａに上側から当接している。すなわち、図５に点線で示すように、当接部１４、２４は、突片３の基端部にまで延出する寸法を備えており、その上端縁１４Ａ、２４Ａは、突片３の直下に位置している。扉体の四隅は、図２、図４、図５に示す構成と同様の嵌り合い構造を備えており、当接部１４、２４の下端縁には下側から突片（第２部材２の下端に形成した突片であり、図示せず）が当接している。当接部１６、２６の上下端の構成も同様であり、当接部１６、２６の上端縁には、第２部材２の上側に形成した突片が上側から当接しており、当接部１６、２６の下端縁には、第１部材１の下側に形成した突片３（延出片１５１´を折曲して形成される）が下側から当接している。したがって、突片３が、当接部１４、２４、当接部１６、２６に上下から当接することで、第１部材１と第２部材２の上下方向（扉体の高さ方向）の位置決めが行なわれ、かつ、上下方向のズレが規制される。
【００２９】
図６は、本発明の他の実施形態を示している。共通の構成要素については、明細書を通して同じ参照番号が付してあり、同じ参照番号の部材の説明については、明細書の他の箇所の記載を援用することができる。図６に示す実施形態の特徴は、突片３が、上側折曲片、下側折曲片の一部から構成されている点である。より具体的には、第１の実施形態の主要部１１０の傾斜状の端縁１１０Ｂの先端側（端縁１１０Ａ側）を、扉体の見込方向に延出することで突片３が一体形成されている。
【００３０】
図７は、本発明のさらに他の実施形態を示している。共通の構成要素については、明細書を通して同じ参照番号が付してあり、同じ参照番号の部材の説明については、明細書の他の箇所の記載を援用することができる。図７に示す実施形態の特徴は、突片３が、当接部１４、１６の一部から構成されている点である。より具体的には、図７の下図に示すように、第２折曲片１４´の上側の端部、第２折曲片１６´の下側の端部には、折曲線Ｌ１の延長線Ｌ１´、折曲線Ｌ２の延長線Ｌ２´を、それぞれ越えて延出する延出片３´が形成されており、延出片３´を、第２折曲片１４´、第２折曲片１６´に対して垂直状に折曲することで、突片３が形成される。また、図３（図４）に示す実施形態と図７に示す実施形態において、突片３は、延出片１３０´、１５０´、１３１´、１５１´と同様に、折曲線Ｌ１、Ｌ２の延長線Ｌ１´、Ｌ２´から直接延出しており、かつ、上側折曲片１１０´、下側折曲片１２０´、左右の第２折曲片１４´、１６´の縁部の延長線（図４下図に点線で示す）から突出していない。したがって、従来と同じ横幅Ｘ、縦幅Ｙの方形の金属板（図４下図参照）の四隅を所定形状に切り欠いて本発明の第１部材１、第２部材２を作成することができ、歩留まりが良い。
【００３１】
このように構成された第１部材１、第２部材２を、一方の突片３が、他方の凹部４に嵌り合うことで、第１部材１と第２部材２の左右方向の位置決めを行ない、かつ、上下の突片３が、当接部１４、２４、１６、２６の上下端縁に外側（上側及び下側）から当接することで、第１部材１と第２部材２の高さ方向の位置決めを行なうことができる。幅方向及び高さ方向に位置決めされて組み立てられた扉体の組立構造（仮組立構造）において、左側の側面部１３、２３の突合せ部、右側の側面部１５、２５の突合せ部を溶接することで第１部材１と第２部材２とは固定される。
【産業上の利用可能性】
【００３２】
本発明は、扉体の構成として利用することができる。
【図面の簡単な説明】
【００３３】
【図１】（Ａ）は、図１（Ｃ）のＡ−Ａ線断面図である。（Ｂ）は、図１（Ｃ）のＢ−Ｂ線断面図である。（Ｃ）は、第１部材と第２部材からなる扉体の正面図である。
【図２】第１部材と第２部材とからなる扉体の１つの隅部の分解斜視図である。
【図３】第１部材を形成する金属板材の展開図である。
【図４】第１実施形態に係る図であり、上図は、第１部材と第２部材とからなる扉体の上端部の部分平面図であり、下図は、第１部材を形成する金属板材の一部省略展開図である。
【図５】図４における凹部に対する突片の嵌り合い構成を拡大して示す図である。
【図６】第２実施形態に係る図であり、上図は、第１部材と第２部材とからなる扉体の上端部の部分平面図であり、下図は、第１部材を形成する金属板材の一部省略展開図である。
【図７】第３実施形態に係る図であり、上図は、第１部材と第２部材とからなる扉体の上端部の部分平面図であり、下図は、第１部材を形成する金属板材の一部省略展開図である。
【符号の説明】
【００３４】
１  第１部材
１０  第１面部
１１  第１上面部
１２  第１下面部
１３  側面部
１４  当接部
１５  側面部
１６  当接部
２  第２部材
２０  第２面部
２１  第２上面部
２２  第２下面部
２３  側面部
２４  当接部
２５  側面部
２６  当接部
３  突片
４  凹部
【図１】
2010031492.tif 000003
【図２】
2010031492.tif 000004
【図３】
2010031492.tif 000005
【図４】
2010031492.tif 000006
【図５】
2010031492.tif 000007
【図６】
2010031492.tif 000008
【図７】
2010031492.tif 000009